(57)【要約】【課題】排水溝を設けなくても、廊下の床面から効率的に排水することができる建物を提供する。【解決手段】建物（１）は、下層階（２）と上層階（３）とを有し、所定方向に面する外縁部（８ａ）と凹部（８ｄ）とを含む平面形状を有する躯体（８）と、凹部（８ｄ）の内側で躯体（８）の上層階（３）と下層階（２）との間に位置する層間部（１１〜１３）に固定された廊下（２１）と、廊下（２１）から延びる階段（２２）と、を有する内階段（２０）と、を備え、廊下（２１）は、層間部（１１、１２）により支持された下地材（２５）と、下地材（２５）を覆う防水シート（２６）と、防水シート（２６）上に設けられ、流体を水平方向に流すための通路を形成する通路形成部（２７）と、通路形成部（２７）上に配置された複数の仕上げ材（２８）とを備え、仕上げ材（２８）同士の間に流体を通路形成部（２７）に導くための間隔（２８ａ）が設けられている。【選択図】図３
2020007812.tif 000002
【特許請求の範囲】
【請求項１】
下層階と前記下層階の上側に位置する上層階とを有する建物であって、
所定方向に面する外縁部と前記外縁部に対して内側に窪む凹部とを含む平面形状を有する躯体と、
前記凹部の内側で前記躯体の前記上層階と前記下層階との間に位置する層間部に固定された廊下と、前記廊下から下向きに傾斜して延びる階段と、を有する内階段と、を備え、
前記廊下は、前記層間部により支持された下地材と、前記下地材を上から覆う防水シートと、前記防水シート上に設けられ、流体を水平方向に流すための通路を形成する通路形成部と、前記通路形成部の上面に当該上面に沿って配置された複数の仕上げ材とを備え、前記仕上げ材同士の間に流体を前記通路形成部に導くための間隔が設けられている、建物。
【請求項２】
請求項１に記載の建物であって、
前記廊下に面する扉と、
前記平面形状に沿って前記躯体に取り付けられる外壁と、をさらに備え、
前記内階段は、前記層間部の前記凹部を挟んで前記所定方向に直交する方向に対向する部分に固定された梁を有し、
前記外壁は、前記梁の上側に設けられた上側外壁部と、前記梁の下側に設けられた下側外壁部と、を有し、
前記通路形成部は、前記扉を越えて前記室内側に延びる部分を有し、
前記防水シートは、前記下地材から前記扉を越えて室内側に延びる部分を有する、建物。
【請求項３】
前記防水シートが前記上側外壁部に沿って立ち上がる立ち上がり部を有する、請求項２に記載の建物。
【請求項４】
前記通路形成部が前記梁を越えて延びる部分を有し、
前記防水シートが前記下地材から前記梁を越えて延びる部分を有する、請求項２または３に記載の建物。
【請求項５】
前記下地材および前記防水シートを貫通した状態で前記下地材の下から通路形成部内まで延び、前記通路形成部内で開口する開口部を有する排水管を備える、請求項１〜４のいずれか１項に記載の建物。
【請求項６】
前記通路形成部がモルタルを含む、請求項１〜５のいずれか１項に記載の建物。
【発明の詳細な説明】
【技術分野】
【０００１】
本発明は、建物に関し、特に内階段を有する建物に関する。
【背景技術】
【０００２】
従来から、下層階と当該下層階の上側に位置する上層階とを有する建物が知られている。この建物は、所定方向に面する外縁部と外縁部に対して内側に窪む凹部とを含む平面形状を有する躯体と、凹部の内側で躯体の上層階と下層階との間に位置する層間部に固定された廊下と廊下から下向きに傾斜して延びる階段とを有する内階段と、を備えている。
【０００３】
特許文献１には、廊下の一例として、外壁に沿って配置され、躯体に支持されたＡＬＣ床板と、ＡＬＣ床板上に敷かれた複数の床パネルとを備えたものが開示されている。床パネルは、外壁から離れた位置に配置され、外壁と床パネルとの間には排水溝が形成されている。また、床パネルの表面には床溝が形成されている。
【０００４】
特許文献１に記載の廊下では、例えば床面に降り注いだ雨水や清掃時に散布された水は、床パネルの表面から床溝に落下し、床溝に落下した水はオーバーフローして外壁側の排水溝に落下する。
【先行技術文献】
【特許文献】
【０００５】
【特許文献１】特許第５２６９３０８号公報
【発明の概要】
【発明が解決しようとする課題】
【０００６】
特許文献１に記載の廊下では、水の通路として排水溝を主に用いているため、排水溝を設けなければ十分な排水性能を発揮することができない。
【０００７】
本発明は、このような問題に鑑みてなされたものであり、排水溝を設けなくても、廊下の床面から効率的に排水することができる建物を提供することを目的とする。
【課題を解決するための手段】
【０００８】
本発明者らは、種々検討した結果、上記目的は、以下の発明により達成されることを見出した。
【０００９】
本発明の一局面に係る建物は、下層階と前記下層階の上側に位置する上層階とを有する建物であって、所定方向に面する外縁部と前記外縁部に対して内側に窪む凹部とを含む平面形状を有する躯体と、前記凹部の内側で前記躯体の前記上層階と前記下層階との間に位置する層間部に固定された廊下と、前記廊下から下向きに傾斜して延びる階段と、を有する内階段と、を備え、前記廊下は、前記層間部により支持された下地材と、前記下地材を上から覆う防水シートと、前記防水シート上に設けられ、流体を水平方向に流すための通路を形成する通路形成部と、前記通路形成部の上面に当該上面に沿って配置された複数の仕上げ材とを備え、前記仕上げ材同士の間に流体を前記通路形成部に導くための間隔が設けられている。
【００１０】
上記の建物では、例えば内階段の廊下上に吹き込んだ雨水は、廊下の床面を構成する仕上げ材同士の間に設けられた間隔から通路形成部に導かれる。特許文献１に記載の外廊下では、床パネル上の水は、複数の床パネルの上面を順次渡って排水溝に到達しない限り床パネル上に残存する。一方、上記の建物では、各仕上げ材の外縁に到達すれば、仕上げ材同士の間隔から通路形成部に導かれる。そのため、上記の建物では、特許文献１に記載の外廊下に比べて廊下の床面全体での水の残存量が少なく、廊下の歩行者の履物が濡れたり歩行者が滑ったりするのを抑制することができる。
【００１１】
また、通路形成部は、水平方向に水を流すための通路を形成しているため、仕上げ材同士の間隔から通路形成部に導かれた水を、通路形成部を通じて水平方向に展開することができ、これにより仕上げ材下のスペースを有効活用できる。
【００１２】
ここで、通路形成部と下地材との間には防水シートが配置されているため通路形成部を流れる水が通路形成部から下地材に浸透するのを抑制することができる。すなわち、防水シートによる下地材の防水が確保されるため、下地材を経た下層階側への水の落下や、水による下地材の劣化を抑制することができる。
【００１３】
特に内階段を備える建物の場合、相当強い風雨であっても、廊下上に吹き込む雨水の量は、比較的少ない。そのため、通路形成部の領域で水を水平展開することにより、仕上げ材の側方に排水溝を設けなくても十分な排水性能を発揮することができる。
【００１４】
上記の建物が、前記廊下に面する扉と、前記平面形状に沿って前記躯体に取り付けられる外壁と、をさらに備え、前記内階段は、前記層間部の前記凹部を挟んで前記所定方向に直交する方向に対向する部分に固定された梁を有し、前記外壁は、前記梁の上側に設けられた上側外壁部と、前記梁の下側に設けられた下側外壁部と、を有し、前記通路形成部は、前記扉を越えて前記室内側に延びる部分を有し、前記防水シートは、前記下地材から前記扉を越えて室内側に延びる部分を有してもよい。
【００１５】
この態様では、建物は、梁を躯体に導くための隙間が上側外壁部と下側外壁部との間に設けられている。この隙間を利用して通路形成部を室内側まで延ばすことにより、廊下から扉の内側まで床面の段差を小さくすることができる。また、防水シートは、扉を越えて室内側に延びる部分を有するため、扉の外側の防水材としてだけでなく、室内側の防水材として兼用することができる。
【００１６】
上記の建物において、前記防水シートが前記上側外壁部に沿って立ち上がる立ち上がり部を有してもよい。
【００１７】
この態様では、通路形成部を通じて水平方向に展開された水が建物の上側外壁部の近傍まで広がっても、防水シートの立ち上がり部によって、上側外壁部と下地材との隙間への水の侵入を抑制することができる。
【００１８】
上記の建物において、前記通路形成部が前記梁を越えて延びる部分を有し、前記防水シートが前記下地材から前記梁を越えて延びる部分を有してもよい。
【００１９】
この態様では、梁の上まで廊下として使用することができ、空間を有効に利用することができる。また、通路形成部を水が階段方向に展開しても、防水シートの下地材から梁を越えて延びる部分によって梁と下地材との間の防水が確保され、下地材と梁との隙間への水の浸透を抑制することができる。
【００２０】
上記の建物が、前記下地材および前記防水シートを貫通した状態で前記下地材の下から通路形成部内まで延び、前記通路形成部内で開口する開口部を有する排水管を備えてもよい。
【００２１】
この態様では、通路形成部に溜まった水のうち排水管の開口部に到達したものは、排水管を通じて排水される。そのため、例えば過剰な雨が廊下に吹き込んで多量の水が通路形成部に溜まった場合でも、随時排水管の開口部を介して通路形成部から排水され、廊下の床面に水があふれるのを抑制することができる。
【００２２】
上記の建物において、前記通路形成部がモルタルを含むものとしてもよい。
【００２３】
この態様では、仕上げ材同士の間隔から導かれた水は、通路形成部の上面のみならず内部のモルタル部分を水平方向に広がるため、施工時に厳密な勾配や水平面を形成する必要がない。
【発明の効果】
【００２４】
本発明によれば、排水溝を設けることなく、廊下の床面に水が残存しないように排水される建物を提供することができる。
【図面の簡単な説明】
【００２５】
【図１】図１は、本発明の一実施形態に係る建物の屋根および腰壁を外した状態の斜視図である。
【図２】図２は、図１のＩＩ−ＩＩ線での概略断面図である。
【図３】図３は、図２のＩＩＩ−ＩＩＩ線での断面図である。
【図４】図４は、図２のＩＶ−ＩＶ線での断面図である。
【発明を実施するための形態】
【００２６】
以下、本発明の一実施形態に係る建物について図面に基づいて説明する。
【００２７】
（建物の構成）
図１は、本実施形態に係る建物の屋根および腰壁を外した状態の斜視図であり、図２は、図１のＩＩ−ＩＩ線での概略断面図である。図３は図２のＩＩＩ−ＩＩＩ線での断面図であり、図４は図２のＩＶ−ＩＶ線での断面図である。以下の説明では、図２の紙面に対して右方向を＋Ｘ方向、左方向を−Ｘ方向とし、上方向を＋Ｙ方向、下方向を−Ｙ方向として説明する。また、＋Ｘ方向および−Ｘ方向を総称してＸ方向、＋Ｙ方向および−Ｙ方向を総称してＹ方向という。Ｘ方向とＹ方向とは直交する。
【００２８】
建物１は、下層階（１階）２および下層階２の上側に位置する上層階（２階）３を有する２階建ての集合住宅である。建物１の下層階２には住戸４、５、上層階３には住戸６、７が、それぞれＸ方向に並んで配置されている。
【００２９】
建物１は、躯体８と、建物１の周面を構成する外壁９と、各住戸４〜７に対する出入りを可能とする玄関ドア（扉）１０と、住戸４〜７の間の移動を可能とする内階段２０とを備える。躯体８は、基礎の上に立設された複数の柱８ｂと、柱８ｂに支持され、下層階２と上層階３との間に位置する複数の梁８ａとを有する。梁８ａの−Ｙ方向（所定方向）に面する部分を外縁部８ｃとする。
【００３０】
躯体８の梁８ａは、図２〜４に示すように、下層階２と上層階３との間に位置しＹ方向に延びる２本の縦梁（層間部）１１、１２と、下層階２と上層階３との間に位置しＸ方向に延びる１本の横梁（層間部）１３とを含む。横梁１３の両端は、それぞれ縦梁１１、１２の＋Ｙ方向の端部に接続される。縦梁１１、１２および横梁１３は、いずれもウェブとフランジとを有するＨ形鋼からなり、上側フランジ１１ａ、１２ａ、１３ａが同じ高さで水平に配置されている。横梁１３の上側フランジ１３ａ上の位置から＋Ｙ方向に、室内側の床下地材１５が配置されている。
【００３１】
図２に示すように、躯体８の平面形状は、外縁部８ｃと、外縁部８ｃに対して＋Ｙ方向（内側）に窪む凹部８ｄとを有する。凹部８ｄは、縦梁１１、１２および横梁１３によって区画される。
【００３２】
外壁９は、躯体８の平面形状に沿って躯体８の外周面に取り付けられている。また、外壁９は、縦梁１１、１２の下に設けられた１階側外壁部（下側外壁部）９ａと、縦梁１１、１２の上に設けられた２階側外壁部（上側外壁部）９ｂとを有する。躯体８の凹部８ｄに沿った部分では、１階側外壁部９ａと２階側外壁部９ｂとは、隙間を設けた状態で躯体８に取り付けられており、縦梁１１、１２および横梁１３は、この隙間に配置される。
【００３３】
図３および図４に示すように、１階側外壁部９ａは、１階側外壁部本体９ｃと、１階側外壁部本体９ｃの天面に設けられた金具９ｄと、金具９ｄに締結されるボルト９ｅおよびナット９ｆとを有する。１階側外壁部本体９ｃは、金具９ｄとボルト９ｅとナット９ｆとによって縦梁１１、１２および横梁１３の下側フランジ１１ｂ、１２ｂ、１３ｂに接続されている。
【００３４】
２階側外壁部９ｂは、２階側外壁部本体９ｇと、２階側外壁部本体９ｇの底面から下に延びる雌ねじ部９ｈと、雌ねじ部９ｈと締結されるナット９ｉとを有する。２階側外壁部本体９ｇの底部が縦梁１１、１２の上側フランジ１１ａ、１２ａの上面によって支持された状態で、２階側外壁部本体９ｇは雌ねじ部９ｈおよびナット９ｉによって上側フランジ１１ａ、１２ａに固定されている。また、２階側外壁部本体９ｇの一部が凹部８ｄに向けて上側フランジ１１ａ、１２ａからせり出した状態で、２階側外壁部本体９ｇは上側フランジ１１ａ、１２ａ上に載置されている。
【００３５】
玄関ドア１０は、開き戸からなり、各住戸４〜７において、横梁１３の凹部８ｄ側の位置で２階側外壁部本体９ｇに形成された開口を開閉可能に設けられている。玄関ドア１０の下方には、玄関ドア１０と接して玄関ドア１０の下方の隙間を塞ぐ沓摺１４が配置される。
【００３６】
内階段２０は、上層階３の玄関ドア１０に臨む位置に設けられた廊下２１と、廊下２１から下向きに傾斜して１階まで延びる階段２２と、階段２２を支持する階段支持梁（梁）２４とを有する。
【００３７】
図２に示すように、廊下２１は、横梁１３に沿って縦梁１１から縦梁１２までＸ方向に延びる内側部２１ａと、縦梁１１、１２のそれぞれに沿って内側部２１ａから躯体８の外縁部８ｃまでＹ方向に延びる外側部２１ｂ、２１ｃとを有する。階段２２は、廊下２１の外側部２１ｂ、２１ｃの間において、内側部２１ａから−Ｙ方向に向かうにしたがって下向きに延びている。
【００３８】
外側部２１ｂ、２１ｃには、人や物の落下を防止するため、図２に二点鎖線で示すように、外縁に沿ってＸ方向に延びる部分および階段２２に沿ってＹ方向に延びる部分を有する腰壁２３が設けられている。
【００３９】
階段支持梁２４は、階段２２と廊下２１の内側部２１ａとの接続部分の下方でＸ方向に延び、縦梁１１、１２にそれぞれ接続された一対の端部を有する。
【００４０】
階段支持梁２４はウェブとフランジとを有するＨ形鋼からなり、フランジが水平に配置され、階段支持梁２４の上側フランジ２４ａの上面は、縦梁１１、１２および横梁１３の上側フランジ１１ａ、１２ａ、１３ａと同じ高さに配置されている。階段支持梁２４は、１階側外壁部９ａと２階側外壁部９ｂとの隙間から躯体８に導かれ、縦梁１１、１２の凹部８ｄを挟んでＸ方向に対向する部分に固定されている。
【００４１】
階段支持梁２４は、上下フランジ間にウェブに対して垂直に延びるリブ２４ｂを有する。リブ２４ｂには、階段支持部材４１がボルト４１ａで締結されており、階段支持部材４１には階段２２の内面に設けられたリブ２２ａがボルト４１ｂで締結されている。
【００４２】
図３および図４に示すように、廊下２１は、縦梁１１、１２によって支持される下地材２５と、下地材２５を上から覆う防水シート２６と、防水シート２６上に設けられた通路形成部２７と、通路形成部２７の上面に沿って配置された複数の仕上げ材２８とを備える。
【００４３】
下地材２５は、Ｘ方向において、縦梁１１と縦梁１２との間に配置され、Ｘ方向両側の端部は２階側外壁部本体９ｇに重なっている。また、下地材２５は、Ｙ方向において、横梁１３と階段支持梁２４との間に配置されている部分を有する。
【００４４】
下地材２５は、水平方向に沿って配置された複数のＡＬＣ（Ａｕｔｏｃｌａｖｅｄ  Ｌｉｇｈｔｗｅｉｇｈｔ  Ａｅｒａｔｅｄ  Ｃｏｎｃｒｅｔｅ；オートクレーブ養生した軽量気泡コンクリート）パネル２５ａによって構成されている。下地材２５における図４に示す部分は、横梁１３と階段支持梁２４との間において、Ｘ方向に延びるとともにＹ方向に並ぶ３枚のＡＬＣパネル２５ａにより構成されている。
【００４５】
図３に示すように、下地材２５は、ＡＬＣパネル２５ａのＸ方向の両端に設けられた下地支持部材２５ｂを有する。下地支持部材２５ｂは、上側フランジ１１ａ、１２ａの上面とＡＬＣパネル２５ａの上面とがほぼ同じ高さとなるように、ＡＬＣパネル２５ａを縦梁１１、１２に取り付けるためのものである。下地支持部材２５ｂはＹ方向に延び、ＡＬＣパネル２５ａの底面に沿って延びる部分と、ＡＬＣパネル２５ａのＸ方向側の側面に沿って延びる部分と、縦梁１１、１２に取り付けられる部分とを有する。
【００４６】
下地支持部材２５ｂの縦梁１１、１２に取り付けられる部分は、縦梁１１、１２の上側フランジ１１ａ、１２ａの上面に沿って延び、雌ねじ部９ｈおよびナット９ｉにより上側フランジ１１ａ、１２ａに固定される。下地支持部材２５ｂのＡＬＣパネル２５ａの底面に沿って延びる部分には、ＡＬＣパネル２５ａが載置されている。
【００４７】
ＡＬＣパネル２５ａの上面と下地支持部材２５ｂの上面とは、ほぼ同一平面上にあり、その上に２階側外壁部本体９ｇが載置される。
【００４８】
下地材２５は、下地支持部材２５ｂを介して縦梁１１、１２に支持され、縦梁１１、１２、横梁１３および階段支持梁２４のそれぞれの上側フランジ１１ａ、１２ａ、１３ａ、２４ａの上面と、下地材２５の上面とがほぼ同じ高さとなる。
【００４９】
防水シート２６は、下地材２５を防水するものであり、水平方向に沿って延び、下地材２５の上面を覆っている。
【００５０】
図３に示すように、防水シート２６は、Ｘ方向において、Ｘ方向両側の２階側外壁部９ｂの間で水平方向に延びて下地材２５の上面を覆う部分と、Ｘ方向両側の２階側外壁部９ｂに沿って立ち上がる立ち上がり部２６ａとを有する。
【００５１】
また、図４に示すように、防水シート２６は、Ｙ方向において、横梁１３の上側フランジ１３ａ上の床下地材１５以外の位置（室内側の位置）から−Ｙ方向に階段支持梁２４を越えた位置まで延び下地材２５の上面全体と横梁１３の一部と階段支持梁２４の上面全体とを覆う部分と、＋Ｙ方向側の端部から室内側の床下地材１５に沿って立ち上がる立ち上がり部２６ａと、−Ｙ方向の端部から下向きに延びる部分２６ｂとを有する。
【００５２】
防水シート２６は、玄関ドア１０を越えて横梁１３の上側フランジ１３ａの上面まで延びる部分を有するため、玄関ドア１０の外側の防水材としてだけでなく、室内側の防水材として兼用することができる。そのため、下地材２５のみならず、下地材２５と横梁１３との隙間も防水が確保される。また、防水シート２６は、下地材２５から階段支持梁２４を越えて延びる部分を有するため、下地材２５と階段支持梁２４との隙間も防水が確保される。
【００５３】
防水シート２６を構成する素材は、水を透過させない素材であれば特に限定されず、例えば塩化ビニル、ゴム等を使用することができる。
【００５４】
通路形成部２７は、防水シート２６の上に設けられ、仕上げ材２８の下部に水等の流体を水平方向に流すための通路を形成する。
【００５５】
本実施形態では、通路形成部２７は、モルタルを含み、厚さは例えば６０ｍｍとすることができる。通路形成部２７は、Ｘ方向では、防水シート２６の＋Ｘ方向側の立ち上がり部２６ａから−Ｘ方向側の立ち上がり部２６ａまで水平方向に延びている。
【００５６】
また、通路形成部２７は、Ｙ方向では、防水シート２６の室内側の床下地材１５に沿う立ち上がり部２６ａから防水シート２６の−Ｙ方向側の端部まで水平方向に延びている。通路形成部２７は、階段支持梁２４を越えて延びる部分を有するため、階段支持梁２４の上まで廊下２１として使用することができ、空間を有効に利用することができる。
【００５７】
通路形成部２７の上面は水平面を構成する。本実施形態では、勾配が１／１００以下である面を水平面とする。通路形成部２７の上面のうち、玄関ドア１０の下方および室内に位置する部分には、沓摺１４が配置されている。
【００５８】
仕上げ材２８は、通路形成部２７のうち、玄関ドア１０の下方および室内に位置する部分を除く部分の上面に沿ってＸ方向およびＹ方向に複数枚配置されている。仕上げ材２８は、上面が水平面を構成するように配置されている。また、仕上げ材２８同士の間には、水等の流体を通路形成部２７に導くための間隔２８ａが設けられている。間隔２８ａは、１ｍｍ以上２ｍｍ以下とすることが好ましいが、これに限られるものではない。仕上げ材２８は、例えばコンクリート製のパネルを使用することができる。
【００５９】
本実施形態の建物１では、通路形成部２７が室内側まで延びる部分を有しており、仕上げ材２８と沓摺１４がいずれも通路形成部２７上に設けられているため、仕上げ材２８と沓摺１４と室内側の床（土間）との段差を小さくすることができ、廊下２１から玄関ドア１０の内側まで床面の段差を小さくすることができる。
【００６０】
廊下２１は、排水目皿２９および排水管３０を有する。排水目皿２９は、通路形成部２７の上面の仕上げ材２８を省略した部分に設けられている。排水目皿２９の上側の開口には、水等の流体の通過を許容しつつごみ等の固体を遮断する網が設けられている。排水管３０は、排水目皿２９よりも小さい直径を有し、排水目皿２９の下部において鉛直方向に延びる。排水管３０は、下地材２５および防水シート２６を貫通し、排水管３０の上部と排水目皿２９の下部とが連結されている。また、排水管３０の通路形成部２７に位置する部分の周面には、開口する複数の開口部３１が周方向に並んで設けられている。開口部３１の下端は、防水シート２６の上面よりも高い位置に設けられている。
【００６１】
（廊下の床面からの排水）
本実施形態に係る建物における、廊下２１の床面を構成する仕上げ材２８上の水の排水について説明する。
【００６２】
本実施形態の建物１では、例えば仕上げ材２８上に吹き込んだ雨水は水平方向に広がり、仕上げ材２８同士の間に設けられた間隔２８ａに到達すると重力によって、間隔２８ａを通じて通路形成部２７方向に導かれる。仕上げ材２８上の水は、複数の仕上げ材２８の上面を順次渡らなくても、各仕上げ材２８の外縁に到達すれば通路形成部２７に導かれるため、複数の仕上げ材の上面を順次渡らなければ排水されない廊下と比べて床面全体での水の残存量が少なく、廊下２１の歩行者の履物が濡れたり歩行者が滑ったりするのを抑制することができる。
【００６３】
仕上げ材２８上を広がって排水目皿２９に到達した水は、排水目皿２９に設けられた開口から下方の排水管３０に向かって流れる。
【００６４】
通路形成部２７に達した水は、通路形成部２７に浸透する。通路形成部２７に浸透した水は水平方向に展開しながら徐々に下方に流れ、通路形成部２７の下側に設けられた防水シート２６に到達する。防水シート２６に到達した水は、通路形成部２７内で水平方向に広がる。このように、本実施形態の建物１では、仕上げ材２８下のスペースを、排水を流通させるスペースとして有効活用できる。
【００６５】
また、防水シート２６上により、通路形成部２７を流れる水が下地材２５に浸透するのを抑制することができ、下地材２５を経た下層階２側への水の落下や、水による下地材２５の劣化を抑制することができる。さらに、防水シート２６の下地材２５から階段支持梁２４を越えて延びる部分によって、下地材２５と階段支持梁２４との隙間への水の浸透を抑制することができる。
【００６６】
通路形成部２７内で広がった水は、防水シート２６に設けられた立ち上がり部２６ａにより遮られる。そのため、２階側外壁部９ｂと下地材２５との隙間、および床下地材１５と横梁１３との隙間への水の浸透を抑制することができる。
【００６７】
また、通路形成部２７には排水管３０に設けられた開口部３１が配置されており、通路形成部２７に広がった水は、排水管３０に到達すると開口部３１の開口を通じて下方に排出される。
【００６８】
本実施形態の建物１は、廊下２１が内階段２０に設けられており、雨が吹き込んだとしても廊下２１上に降り注ぐ水の量は、比較的少ない。そのため、通路形成部２７で水を水平展開することにより、仕上げ材２８の側方に排水溝を設けなくても十分な排水性能を発揮することができる。
【００６９】
また、例えば、過剰な雨が廊下に吹き込んだ場合において、多量の水が通路形成部２７に溜まったときには、随時排水管３０の開口部３１を介して通路形成部２７から排水され、仕上げ材２８上に水があふれるのを抑制することができる。この場合において、仕上げ材２８同士の間に設けられた間隔２８ａを乗り越えて仕上げ材２８の上面を水が流れたときには、排水目皿２９に設けられた開口から下方の排水管３０に向かって排水される。
【００７０】
（本実施形態の変形例）
本実施形態では、建物１として、下層階２と上層階３とを有する２階建てのものを例示したが、３階建て以上であってもよい。
【００７１】
本実施形態では、仕上げ材２８を省略して排水目皿２９を設けたが、排水目皿２９を設けなくてもよい。排水目皿２９を設けない場合、仕上げ材２８を省略しなくてもよい。排水目皿２９を設けなくても、廊下２１の床面上の水は仕上げ材２８同士の間に設けられた間隔２８ａを通じて通路形成部２７方向に流れ、排水管３０に到達するため、廊下２１の床面からの排水能力への影響は小さい。
【００７２】
また、仕上げ材２８は、通路形成部２７の上面全体にわたって設けてもよい。このように構成することにより、廊下２１の歩行可能な部分の面積を最大限に広くすることができ、空間を有効に利用することができる。「通路形成部２７の上面全体」とは、通路形成部２７の上面のうち、玄関ドア１０の下およびその内側（室内側）を除いた部分をいう。
【００７３】
本実施形態では、通路形成部２７としてモルタルを含むもの（以下「モルタル含有材」という。）を用いたが、モルタル含有材と仕上げ材２８との間に、接着剤をいわゆるダンゴ張りによって隙間を空けて配置し、モルタル含有材とこの接着剤同士の隙間とを合わせて通路形成部２７としてもよい。
【００７４】
この場合、仕上げ材２８同士の間に設けられた間隔２８ａを通じて通路形成部２７に達した水は、一部は直接モルタル含有材に浸透し、残りの一部はモルタル含有材の上面において接着剤同士の隙間を水平方向に流れた後、モルタル含有材に浸透する。このように、モルタル含有材に浸透する前に、仕上げ材２８とモルタル含有材との間に水が広がることができるため、仕上げ材２８上の水量が比較的多い場合でも仕上げ材２８同士の間に設けられた間隔２８ａから水があふれるのを抑制することができる。
【００７５】
また、通路形成部２７にモルタル含有材を用いず、防水シート２６の上に接着剤をダンゴ張りによって配置し、この接着剤同士の隙間を通路形成部２７としてもよい。
【００７６】
なお、通路形成部２７としてモルタル含有材を用いた場合には、仕上げ材２８同士の間に設けられた間隔２８ａから導かれた水は、通路形成部２７の上面だけでなく内部のモルタル部分を水平方向に広がるため、施工時に通路形成部２７の上面に排水のための厳密な勾配や水平面を形成する必要がない。
【００７７】
本実施形態では、仕上げ材２８の上面を水平として説明したが、仕上げ材２８の上面が勾配を有していてもよい。この場合、排水目皿２９が最も低くなるように勾配を設けることが好ましい。勾配の設け方としては、通路形成部２７の上面に勾配を設け、通路形成部２７の上面と平行になるように仕上げ材２８を設けてもよい。また、通路形成部２７の上面を水平に形成し、通路形成部２７の上面に勾配を有するように仕上げ材２８を設けてもよい。勾配の大きさは、１／１００以上１／５０以下が好ましいが、これに限られるものではない。
【符号の説明】
【００７８】
１  建物
２  １階（下層階）
３  ２階（上層階）
８  躯体
８ａ  梁
８ｂ  柱
８ｃ  外縁部
８ｄ  凹部
９  外壁
９ａ  １階側外壁部（下側外壁部）
９ｂ  ２階側外壁部（上側外壁部）
１０  玄関ドア（扉）
１１、１２  縦梁（層間部）
１３  横梁（層間部）
２０  内階段
２１  廊下
２２  階段
２４  階段支持梁（梁）
２５  下地材
２６  防水シート
２６ａ  立ち上がり部
２７  通路形成部
２８  仕上げ材
２８ａ  間隔
３０  排水管
３１  開口部
【図１】
2020007812.tif 000003
【図２】
2020007812.tif 000004
【図３】
2020007812.tif 000005
【図４】
2020007812.tif 000006